(57)【要約】【課題】省スペースで操作性がよく，高画質で読み取ることができる画像読み取り装置とそれを有する画像形成装置を提供すること。【解決手段】本発明の画像読み取り装置１は，原稿を載置する透明板１０と，透明板の裏側に配置された読み取り部２とを有する画像読み取り装置１であって，透明板１０は，透明ＥＬ素子を２次元状に配置した透明エレクトロルミネッセンス層と，押圧されたときにその２次元位置を出力する透明の感圧センサと，透明エレクトロルミネッセンス層を用いて操作パネルを表示するとともに，透明の感圧センサへの押圧に基づいて操作パネルへの操作を受け付ける制御部３とを有するものである。【選択図】            図２
2007017786.tif 000002
【特許請求の範囲】
【請求項１】
原稿を載置する透明板と，前記透明板の裏側に配置された読み取り部とを有する画像読み取り装置において，前記透明板は，
透明エレクトロルミネッセンス層と，
前記透明エレクトロルミネッセンス層を領域ごとに発光させる透明電極と，
押圧されたときにその２次元位置を出力する透明入力センサと，
前記透明エレクトロルミネッセンス層を用いて操作パネルを表示するとともに，前記透明入力センサへの押圧に基づいて操作パネルへの操作を受け付ける表示操作制御部とを有することを特徴とする画像読み取り装置。
【請求項２】
請求項１に記載の画像読み取り装置において，
前記読み取り部で読み取った原稿の画像を前記透明エレクトロルミネッセンス層を用いて表示するとともに，前記透明入力センサへの押圧に基づいてその画像の編集を行う画像編集部を有することを特徴とする画像読み取り装置。
【請求項３】
請求項１または請求項２に記載の画像読み取り装置において，
前記透明板上に載置された原稿の占める領域を検知する原稿センサを有し，
前記表示操作制御部は，前記透明板上に原稿が載置されているときには，原稿の占める領域の外に表示を行うことを特徴とする画像読み取り装置。
【請求項４】
請求項１から請求項３までのいずれか１つに記載の画像読み取り装置において，
前記表示操作制御部は，前記透明エレクトロルミネッセンス層を用いて，原稿を載置すべき領域およびそのサイズを含む情報を表示することを特徴とする画像読み取り装置。
【請求項５】
原稿を載置する透明板と，前記透明板の裏側に配置された読み取り部と，前記読み取り部で読み取った画像データに基づいて画像を形成する画像形成部とを有する画像形成装置において，前記透明板は，
透明エレクトロルミネッセンス層と，
前記透明エレクトロルミネッセンス層を領域ごとに発光させる透明電極と，
押圧されたときにその２次元位置を出力する透明入力センサと，
前記透明エレクトロルミネッセンス層を用いて操作パネルを表示するとともに，前記透明入力センサへの押圧に基づいて操作パネルへの操作を受け付ける表示操作制御部とを有することを特徴とする画像形成装置。
【発明の詳細な説明】
【技術分野】
【０００１】
本発明は，複写装置等に設けられ，原稿の画像を読み取る画像読み取り装置とそれを有する画像形成装置に関する。さらに詳細には，操作パネルとしても機能する画像読み取り装置とそれを有する画像形成装置に関するものである。
【背景技術】
【０００２】
従来より，例えば複写装置等の画像形成装置には原稿の画像を読み取るための画像読み取り装置が備えられている。画像読み取り装置は，一般に，原稿を載置するための原稿ガラスと，その原稿ガラスを透して原稿面に当てられた光の反射光を受けて電気信号に変換する光電変換素子等を有している。また，画像形成装置には操作パネルが備えられており，使用するユーザは，この操作パネルによって希望する各種操作を入力するようになっている。例えば複写装置による複写処理では，画像読み取り装置で読み取った画像データに基づき，入力された複写操作に従って複写画像を形成する。
【０００３】
このような操作パネルは，ユーザの操作性を考えて装置の手前側や上面等に配置されることが多い。また，近年の多機能化に伴ってますます表示内容は増加しているものの，スペースの関係上あまり大きなものは備えられないため，階層構成とする等の工夫がされた表示となっていることが多い。それでも，例えば原稿のサイズと実際の印刷サイズとの関係や，印刷の向きの設定等の判断が難しい場合があった。これに対して例えば，特許文献１，２には，原稿載置面が透過性の液晶パネルで構成された複写装置が開示されている。これらの文献の技術によれば，この液晶パネルに原稿の載置位置や大きさ等の情報を判りやすく表示できるとされている。
【特許文献１】特開平５−４０３１７号公報
【特許文献２】特開平７−８４２３３号公報
【発明の開示】
【発明が解決しようとする課題】
【０００４】
しかしながら，前記した従来の技術ではいずれも，液晶パネルが使用されているため，視野角が狭くユーザの立ち位置や身長等によって表示が見にくいおそれがある。また，液晶は自発光型のディスプレイではないので補助光を必要とし，装置構成が複雑になるという問題点もあった。さらに，液晶パネルには一般に偏光板が使用されていることと，液晶セルが厚いためパネルの厚さが数ｍｍとなることとから，パネルを透過させることで光量が大きく減少する。そのため，原稿ガラスの下側からランプ等で原稿を照明し，その反射光を光電変換素子に入力する画像読み取り装置では，ノイズが増加して画質が低下するおそれがあった。
【０００５】
さらに，前記特許文献２に記載の技術のように，液晶パネルの表示を見ながら操作パネルで指示入力するものでは，詳細な指示を与えることができる一方，入力のためのボタン等が小さくなりがちであり操作性がよいとはいえないものとなるおそれがあった。さらには，文字等を追加して印刷させる場合では，希望した位置に正確に指示入力することは難しく，表示を見ながら何度もトライすることになりがちであった。
【０００６】
本発明は，前記した従来の画像読み取り装置とそれを有する画像形成装置が有する問題点を解決するためになされたものである。すなわちその課題とするところは，省スペースで操作性がよく，高画質で読み取ることができる画像読み取り装置とそれを有する画像形成装置を提供することにある。
【課題を解決するための手段】
【０００７】
この課題の解決を目的としてなされた本発明の画像読み取り装置は，原稿を載置する透明板と，透明板の裏側に配置された読み取り部とを有する画像読み取り装置であって，透明板は，透明エレクトロルミネッセンス層と，透明エレクトロルミネッセンス層を領域ごとに発光させる透明電極と，押圧されたときにその２次元位置を出力する透明入力センサと，透明エレクトロルミネッセンス層を用いて操作パネルを表示するとともに，透明入力センサへの押圧に基づいて操作パネルへの操作を受け付ける表示操作制御部とを有するものである。
【０００８】
本発明の画像読み取り装置によれば，透明板上に載置された原稿の画像は読み取り部によって読み取られる。ここで，透明板が透明エレクトロルミネッセンス層を有するので，表示操作制御部に制御されることにより，透明板上に操作パネルの表示を行うことができる。また，透明板が透明入力センサを有するので，操作パネルへの操作が表示操作制御部によって受け付けられる。従って，原稿を載置する透明板を操作パネルとして使用できるので，操作パネルのために大きなスペースを用意する必要はなく，省スペースである。また，透明エレクトロルミネッセンス層を用いているので，液晶パネルに比較して薄く形成でき，光量の減少は小幅に抑えられる。これらのことから，省スペースで操作性がよく，高画質で読み取ることができる。
【０００９】
さらに本発明では，読み取り部で読み取った原稿の画像を透明エレクトロルミネッセンス層を用いて表示するとともに，透明入力センサへの押圧に基づいてその画像の編集を行う画像編集部を有することが望ましい。
このようにすれば，ユーザは，読み取った原稿の画像を見ながらその表示上に直接押圧して指示できる。
【００１０】
さらに本発明では，透明板上に載置された原稿の占める領域を検知する原稿センサを有し，表示操作制御部は，透明板上に原稿が載置されているときには，原稿の占める領域の外に表示を行うことが望ましい。
このようにすれば，原稿によって表示が隠されることが無く，ユーザにとって使いやすいものとなる。
【００１１】
さらに本発明では，表示操作制御部は，透明エレクトロルミネッセンス層を用いて，原稿を載置すべき領域およびそのサイズを含む情報を表示することが望ましい。
このようにすれば，原稿の載置領域を間違えるというミスが防止される。
【００１２】
さらに本発明は，原稿を載置する透明板と，透明板の裏側に配置された読み取り部と，読み取り部で読み取った画像データに基づいて画像を形成する画像形成部とを有する画像形成装置であって，透明板は，透明エレクトロルミネッセンス層と，透明エレクトロルミネッセンス層を領域ごとに発光させる透明電極と，押圧されたときにその２次元位置を出力する透明入力センサと，透明エレクトロルミネッセンス層を用いて操作パネルを表示するとともに，透明入力センサへの押圧に基づいて操作パネルへの操作を受け付ける表示操作制御部とを有する画像形成装置にも及ぶ。
【発明の効果】
【００１３】
本発明の画像読み取り装置とそれを有する画像形成装置によれば，省スペースで操作性がよく，高画質で読み取ることができる。
【発明を実施するための最良の形態】
【００１４】
以下，本発明を具体化した最良の形態について，添付図面を参照しつつ詳細に説明する。本形態は，原稿の画像を読み取る画像読み取り装置を有する複写装置に本発明を適用したものである。
【００１５】
本形態の複写装置１００は，図１にその外観を示すように，画像読み取り装置１を有している。複写装置１００はさらに，最上部に自動原稿送り装置１１０を，以下，上から順に，プリント部１２０，給紙部１３０，手差しトレイ１４０を有している。複写装置１００は，その内部に，各種の画像データや操作内容等を記憶できる記憶装置１５０も有している。また，プリント部１２０の上面は排紙トレイを兼ねている。
【００１６】
画像読み取り装置１は，原稿の画像を読み取るものであり，その読み取った画像データを記憶装置１５０に蓄積させることもできる。画像読み取り装置１についての詳細は後述する。自動原稿送り装置１１０は，原稿の束から原稿を１枚ずつ画像読み取り装置１へ送る。表裏を返す機能も有していても良い。プリント部１２０は，画像読み取り装置１で読み取った画像のデータに基づいて，給紙部１３０や手差しトレイ１４０から給紙された用紙に，既知の電子写真方式で画像を形成する。あるいは，記憶装置１５０に蓄積されている画像データや，外部装置から受信した画像データに基づいて画像形成することもできる。
【００１７】
本形態の画像読み取り装置１は，図２に示すように，読み取り部２の図中上部に原稿Ｓが載置される原稿ガラス１０を有している。原稿ガラス１０には，その制御を司る制御部３が接続されている。読み取り部２は，原稿ガラス１０に載置された原稿の画像を読み取るためのものであり，第１スライダユニット１１，第２スライダユニット１２，レンズ１３，光電変換素子１４を有している。さらに，第１スライダユニット１１には，光源１５，反射板１６，第１反射ミラー１７が備えられ，第２スライダユニット１２には，第２反射ミラー１８，第３反射ミラー１９が備えられている。
【００１８】
この画像読み取り装置１では，光源１５から発せられた光は，直接あるいは反射板１６を介して，原稿Ｓを照射する。原稿Ｓの表面で反射された光は，第１反射ミラー１７，第２反射ミラー１８，第３反射ミラー１９を介して，レンズ１３によって縮小されて光電変換素子１４の受光面上へ結像される。ここで，原稿ガラス１０以外の部分は，縮小光学系の画像読み取り装置に一般的に用いられるものであり，ここでは説明は省略する。
【００１９】
本形態の原稿ガラス１０は，図３にその一部を拡大して示すように，透明有機ＥＬ（エレクトロルミネッセンス）ディスプレイ２０と感圧センサ３０とを積層したものである。透明有機ＥＬディスプレイ２０には，ガラス基板２１，透明電極層２２，発光層２３，陰極層２４，透明電極層２５，カバーガラス２６の各層が形成されている。発光層２３は，有機化合物を用いた透明有機ＥＬ素子による光源であり，発光層２３内で電子輸送層の電子とホール輸送層の正孔とを再結合させることにより発光する。透明電極層２２，２５は，発光層２３に電流を流すためのインジウム−スズ酸化物（ＩＴＯ）を用いた透明な電極である。
【００２０】
透明電極層２２，２５は，図４に示すように，原稿ガラス１０の端部に設けられた駆動回路４１，４２によって電圧制御される。この透明電極層２２，２５は，図３と図４に示すように，発光層２３及び陰極層２４を挟んで交差するように配置されている。そして，図中横方向の帯状に設けられた複数の透明電極層２２が駆動回路４１によって選択的に制御され，図中奥行き方向に帯状に設けられた複数の透明電極層２５が駆動回路４２によって選択的に制御される。これらの透明電極層２２と透明電極層２５との交差した部分がそれぞれ発光単位２７となっており，原稿ガラス１０には発光単位２７が格子状に配置されている。すなわち，駆動回路４１，４２により各発光単位２７の点灯・消灯の駆動がなされるので，希望の箇所の発光層２３を選択的に発光させることができる。なお，この駆動回路４１，４２は，画像読み取り領域外に配置され，制御部３によって制御される。
【００２１】
また，感圧センサ３０は，図３に示すように，カバーガラス２６に設けられた透明導電膜３１，スペーサ３２，透明導電膜３３，フィルム３４が積層されている。透明導電膜３１，３３には，図５に示すように，それぞれ透明のＸ軸電極４４，Ｙ軸電極４５が形成されており，これらが平常はスペーサ３２によって離隔されている。この感圧センサ３０に対して上方から圧力が加えられると，図６に示すように，透明導電膜３１，３３の一部が互いに接触する。これにより，Ｘ軸電極４４とＹ軸電極４５とが接触し電流が流れる。このときの透明導電膜３１，３３の抵抗による分圧比を測定することで押された位置を検出することができる。この感圧センサ３０の検出結果は，制御部３に入力される。
【００２２】
感圧センサ３０に用いられるスペーサ３２としては，粒状の絶縁体によるドットスペーサが一般的であり，ここでは耐久性に優れた比較的大きなもの（径約８０μｍ）を用いている。ただし，外観としてドットが目立たないという要求が強い場合には径約５０μｍ程度のものを用いても良い。また，指に代えてペン等による微細な入力を受け付けて，より詳細な位置設定を行うことができることが必要な装置では径３０μｍ以下の小さなものを使用しても良い。
【００２３】
また，原稿ガラス１０の下部には，図７に示すように，複数の原稿サイズ検出センサ５０が所定の位置に設けられている。原稿サイズ検出センサ５０は，発光面５１と受光面５２とを有し，発光面５１から発光した光の反射光を受光面５２によって受ける。その際，受光面５２での入射角度によって対象までの距離を測定できるものである。ここでは，所定の閾値範囲内に対象物（ここでは原稿）があるかどうかによって，その位置に原稿があるかどうかを判断する。原稿ガラス１０の読み取り範囲内に複数の原稿サイズ検出センサ５０を配置し，原稿が載置された後，読み取り前に各原稿サイズ検出センサ５０の検出結果を総合して，あらかじめ原稿サイズを検出することができる。この原稿サイズ検出センサ５０の検出結果は，制御部３に入力される。
【００２４】
次に，本形態の画像読み取り装置１によって原稿Ｓの画像を読み取る処理について説明する。この処理は主に，制御部３によって行われる。以下では，複写装置に備えられている画像読み取り装置１として説明する。まず，原稿ガラス１０には，図８に示すように，縦方向と横方向の基準スケール６１，現在給紙カセットにセットされている用紙サイズ枠６２，複写設定表示部６３，操作ボタン部６４等が表示されている。複写設定表示部６３には，例えば拡大縮小率，コピー枚数，複写モード等の現在の設定状態が表示されている。これらのうちのいずれかを変更したり，コピースタート・ストップ等の指示を行うためのボタンが，操作ボタン部６４に表示されている。操作ボタン部６４の範囲内が指等によって押されると，感圧センサ３０によってその押された位置が検出され，所定の設定変更等を行う。
【００２５】
次に，ユーザによって原稿ガラス１０に原稿Ｓがセットされると，図９に示すように，用紙サイズ枠６２が見えなくなる。そこでまず，原稿サイズ検出センサ５０によって原稿サイズを検出し，原稿の範囲外に原稿サイズ６５を表示する。原稿のサイズに一致する用紙が給紙カセットにセットされていない場合は，原稿全体が入るものの中で最も小さいサイズをその用紙サイズ枠６２とともに表示しても良い。この状態で，ユーザによって操作ボタン部６４からの各種設定指示を受け付けるとともに，読み取り開始ボタンが押されることで読み取りを開始する。
【００２６】
読み取り動作中は，原稿ガラス１０は透明状態に保持される。すなわち，駆動回路４１，４２はいずれの発光単位２７をも発光させない。従って，一般的な縮小光学系の画像読み取り装置と同様に機能し，原稿Ｓの画像は，光電変換素子１４によって画像データＳ１として入力される。
【００２７】
次に，読み取られた原稿の画像データＳ１は，図１０に示すように，原稿ガラス１０に表示される。ユーザは，原稿ガラス１０上の原稿Ｓを取り除き，この表示を見ることができる。このとき，現在の設定で出力された場合の用紙サイズ枠６６も同時に表示される。ここで，ユーザは，複写設定表示部６３と操作ボタン部６４とを操作することにより，各種の設定変更を行うことができる。例えば，複写設定表示部６３のうち変更したい項目を押すことにより，操作ボタン部６４に変更可能な各種の選択肢がボタン表示されるようにしても良い。
【００２８】
さらには，ソフトキーボードを原稿ガラス１０に表示させたり，入力ペン６７による入力を受けたりして，画像データに新たに文字や画像を付け加えることもできる。このとき手書き文字を文字認識させて，標準書体に直すようにしても良い。また，消しゴムペンを利用したり，領域を認識させることにより，所定の範囲内の画像を消去することもできる。また，領域を指定して移動させたり，色を変化させる等の処理を行ってもよい。
【００２９】
原稿ガラス１０に出力させようとする画像データの表示が形成されたら，ユーザは操作ボタン部６４の「確認」ボタンを押す。これにより，そのとき表示されている画像が指定された用紙に形成される。
【００３０】
なお，上記の説明では原稿ガラス１０を覆う原稿押さえについては特に述べなかったが，複写装置等では一般に，原稿ガラス１０の全体を覆う程度の大きさとされている。これは，読み取り中に原稿Ｓがずれることを防止するとともに，読み取り時の光源１５の発光が目にはいるとまぶしいからである。これに対し，画像読み取り装置１では，図１１に示すように，読み取り範囲に見合う大きさの原稿押さえ７０と読み取り範囲より大きい原稿ガラス１０とを設けてもよい。
【００３１】
このようにしておけば，原稿ガラス１０のうち読み取り範囲外の部分に複写設定表示部６３や操作ボタン部６４等を表示することができるので，原稿押さえ７０を閉めた状態で各種の指示を入力することができる。そして，原稿の読み取りが終了したら，原稿押さえ７０を開け，原稿Ｓを取り出して，原稿ガラス１０の表示を見ればよい。
【００３２】
以上詳細に説明したように，本形態の複写装置１００によれば，画像読み取り装置１の原稿ガラス１０に透明有機ＥＬディスプレイ２０を用いているので，原稿読み取り時には透明状態にすることができる。有機ＥＬディスプレイ２０は，液晶パネルに比較して薄く構成できるので高画質での読み取りが可能である。さらに，読み取り後には読み取った画像データを原稿ガラス１０に表示することができる。また，本形態の原稿ガラス１０は，感圧センサ３０が積層されているので，操作パネルとしても機能できる。実物大の画像データを見ながら操作できるので良好な操作性が得られる。従って，装置全体として省スペース化が可能であるとともに操作性がよく，高画質で読み取ることができる画像読み取り装置１とそれを有する複写装置１００となっている。
【００３３】
なお，本形態は単なる例示にすぎず，本発明を何ら限定するものではない。したがって本発明は当然に，その要旨を逸脱しない範囲内で種々の改良，変形が可能である。
例えば，この画像読み取り装置１の発光層２３としては，無機ＥＬ光源でも有機ＥＬ光源でもかまわない。
また例えば，上記の形態では駆動方式として，駆動回路を外付けにするパッシブマトリクス方式を例示しているが，各画素にスイッチング素子を付加したアクティブマトリクス方式としてもよい。
また例えば，上記の形態では読み取った画像を元に各種の編集ができるとしたが，装置内に記憶装置を有して，記憶されている画像を読み出して同様の処理をすることができるようにしても良い。また，コンピュータ等の外部機器から送信された画像データを基に，各種の編集ができるようにしても良い。
【図面の簡単な説明】
【００３４】
【図１】本形態に係る複写装置の概略構成を示す外観図である。
【図２】本形態に係る画像読み取り装置の概略構成を示す断面図である。
【図３】本形態に係る原稿ガラスの概略構成を示す断面図である。
【図４】発光層の駆動方式の例を示す説明図である。
【図５】感圧式センサの概略構成を示す説明図である。
【図６】感圧式センサの動作状態を示す説明図である。
【図７】原稿サイズ検出センサの概略構成を示す説明図である。
【図８】表示内容の一例を示す説明図である。
【図９】表示内容の一例を示す説明図である。
【図１０】表示内容の一例を示す説明図である。
【図１１】表示内容の一例を示す説明図である。
【符号の説明】
【００３５】
１  画像読み取り装置
２  読み取り部
３  制御部（表示操作制御部）
１０  原稿ガラス（透明板）
２２，２５  透明電極層（透明電極）
２３  発光層（透明エレクトロルミネッセンス層）
３０  感圧センサ（透明入力センサ）
５０  原稿サイズ検出センサ（原稿センサ）
１００  複写装置
【図１】
2007017786.tif 000003
【図２】
2007017786.tif 000004
【図３】
2007017786.tif 000005
【図４】
2007017786.tif 000006
【図５】
2007017786.tif 000007
【図６】
2007017786.tif 000008
【図７】
2007017786.tif 000009
【図８】
2007017786.tif 000010
【図９】
2007017786.tif 000011
【図１０】
2007017786.tif 000012
【図１１】
2007017786.tif 000013